(57)【特許請求の範囲】
【請求項１】
良導電性の金属薄板を打抜き加工して形成された複数の第一細帯状部が前面視略平行に配され、各第一細帯状部の両端部が隣接する両側の第一細帯状部の端部と交互に連続して接続されると共に、上記複数の第一細帯状部の少なくとも一部が接続部から前後方向交互に略半円状に突出して、略円形螺旋状に形成された第一アンテナ素子と、良導電性の金属薄板を打抜き加工して形成された複数の第二細帯状部が前面視略平行に配され、各第二細帯状部の両端部が隣接する両側の第二細帯状部の端部と交互に連続して接続されると共に、上記複数の第二細帯状部の少なくとも一部が接続部から前方向または後方向に、上記第一アンテナ素子の略円形螺旋状部とほぼ同径の略半円筒状に突出形成され、上記第一アンテナ素子の近傍の略同心位置に絶縁状態で配設された、少なくとも一つの第二アンテナ素子と、上記第一アンテナ素子の一方の終端と電気的に接続された取付金具と、上記第一アンテナ素子および第二アンテナ素子を内周側から固定すると共に取付金具と結合した樹脂誘電体材料製の心棒と、上記取付金具の一部を露出させて、上記第一アンテナ素子および第二アンテナ素子の外周を覆う樹脂誘電体材料製のカバーからなるアンテナ装置を製造するためのアンテナ装置の製造方法であって、所定寸法の良導電性の金属薄板を打抜き加工して、略平行な同長さの複数の長方形孔を、その両端部が交互に凹凸状となるように設けることにより複数の第一直線状部を形成し、上記複数の長方形孔の凹凸状となった一方の側部を繋がった状態で外周部から切離した後、上記複数の第一直線状部の少なくとも一部を上下方向交互に略半円状に突出加工して、略円筒形の第一細帯状部が他方の側部で外周部に連結された形状とし、この第一細帯状部の一方の端部に取付金具を接続固定して第一素子板とすると共に、上記第一素子板とほぼ同寸法の良導電性の金属薄板を打抜き加工して、略平行な同長さの複数の鉤形孔を、交互に逆向きとなるように設けることにより複数の第二直線状部が左右交互に細幅連結部で繋がれた形とし、上記複数の鉤形孔の一方の側部を繋がった状態で外周枠から切離した後、上記複数の第二直線状部の少なくとも一部を上方向または下方向に、上記第一素子板の略円筒形の第一細帯状部とほぼ同径の略半円状に突出加工して、略半円筒形の第二細帯状部の他方の側部が外周部に連結された第二素子板を形成し、上記第一素子板および第二素子板の外周部を保持して樹脂誘電体材料で第一次インサート成形加工して、上記第一素子板の略円筒形の第一細帯状部と上記第二素子板の略半円筒形の第二細帯状部を内周側から樹脂で固定すると共に上記取付金具と結合し、さらに上記第一細帯状部および第二細帯状部の外周から所定寸法だけ突出した複数個の樹脂支持部を有する心棒部を形成した後、上記第一素子板および第二素子板の外周部に連結された上記側部を心棒部の近くで切断加工して心棒部を外周部から分離すると共に、上記複数の長方形孔の端部が凹凸状となって繋がった部分および細幅連結部が切離されることにより、各第一細帯状部および第二細帯状部の両端部が隣接する両側の第一細帯状部および第二細帯状部の端部とそれぞれ交互に連結して接続された上記第一アンテナ素子および第二アンテナ素子とし、次にこの心棒部を上記取付金具および樹脂支持部を保持して樹脂誘電体材料で第二次インサート成形加工して、上記取付金具の一部を露出させて、上記第一アンテナ素子および第二アンテナ素子の外周を覆うカバーを形成するようにしたアンテナ装置の製造方法。
【発明の詳細な説明】
【０００１】
【発明の属する技術分野】
本発明は、主として移動体通信等の無線機に使用されるアンテナ装置の製造方法に関するものである。
【０００２】
【従来の技術】
近年、携帯電話等の移動体通信用の無線機に対する需要が急激に高まっており、その形態が多様化すると共に一台の無線機でより多くの情報を送受信できるようにするため、複数の周波数帯域の電波を送受信できる無線機が販売されており、これには二つ以上のインピーダンス特性を設定したアンテナが使用されている。
【０００３】
そして、このような複数の周波数帯域に対応するアンテナとして、コイル状の巻線を用いたヘリカル式アンテナが広く使用されている。
【０００４】
このような従来のアンテナについて、図１２を用いて説明する。
【０００５】
図１２は二つの周波数帯域に対応する従来のアンテナ装置の断面図で、同図において、１は銅線や銅合金線からなるヘリカルアンテナ素子、２は無線機への取付部を有した金属製の取付金具、３は絶縁樹脂製の心棒であり、ヘリカルアンテナ素子１の上方のコイル状の巻線部１Ａは、下端が取付金具２の円筒状の凹部２Ａに固定された心棒３に巻き付けられ、ヘリカルアンテナ素子１下端の接続部１Ｂは、取付金具２の凹部２Ａの外周に巻き付けられて取付金具２と電気的に接続されている。
【０００６】
そして、ヘリカルアンテナ素子１の巻線部１Ａの各巻きの間には、巻径と巻ピッチがヘリカル素子１と同じ無給電ヘリカルアンテナ素子４が、ヘリカルアンテナ素子１や取付金具２と絶縁されて巻き付けられ、この外周を絶縁樹脂５でインサート成形することにより覆って、ヘリカル式アンテナ６が構成されている。
【０００７】
このように、均一な巻径のヘリカルアンテナ素子１の巻線部１Ａの間に同巻径・同ピッチの無給電ヘリカルアンテナ素子４を配することによって、このヘリカル式アンテナ６は、電波の送受信の際に二つのアンテナ素子の間に生じる電磁誘導作用により誘起される電流を利用して、少なくとも二つの周波数帯域の電波を各々送受信できるように、インピーダンス特性を制御する構成となっている。
【０００８】
【発明が解決しようとする課題】
しかしながら上記従来のヘリカルアンテナ６においては、ヘリカルアンテナ素子１および無給電アンテナ素子４が銅線や銅合金線を心棒３にコイル状に巻き付けて形成されているため、心棒３に巻き付ける際および絶縁樹脂５で覆う際に巻ピッチが不均一になったり変形を生じることがあり、またヘリカルアンテナ素子１と無給電ヘリカルアンテナ素子４との高い配設位置精度が要求されるので、目的とする周波数帯域に対応したインピーダンス特性が得づらい、すなわち利得のバラツキが大きいという課題があった。
【０００９】
本発明は、このような従来の課題を解決するものであり、アンテナ素子のピッチの不均一や変形が生じ難く、高利得・高信頼性で生産性に優れ、しかも二つ以上のインピーダンス特性を備えたアンテナ装置を製造することができるアンテナ装置の製造方法を提供することを目的とする。
【００１０】
【課題を解決するための手段】
上記目的を達成するために本発明のアンテナ装置の製造方法は、略平行な複数の細帯状部の両端部が交互に連続して接続され、前後方向交互に突出した略円形螺旋状の金属薄板製の第一アンテナ素子と、略平行な複数の細帯状部の両端部が交互に連続して接続され、前または後方向に略半円筒状に突出形成され、第一アンテナ素子と略同心位置に絶縁状態で配設された金属薄板製の第二アンテナ素子と、第一アンテナ素子の一方の端部に接続された取付金具と、この取付金具の一部を露出させて、各部材の外周を覆う樹脂誘電体材料製のカバーからなるアンテナ装置を製造するためのアンテナ装置の製造方法であって、所定寸法の良導電性の金属薄板を打抜き加工して、略平行な同長さの複数の長方形孔を、その両端部が交互に凹凸状となるように設けることにより複数の第一直線状部を形成し、上記複数の長方形孔の凹凸状となった一方の側部を繋がった状態で外周部から切離した後、上記複数の第一直線状部の少なくとも一部を上下方向交互に略半円状に突出加工して、略円筒形の第一細帯状部が他方の側部で外周部に連結された形状とし、この第一細帯状部の一方の端部に取付金具を接続固定して第一素子板とすると共に、上記第一素子板とほぼ同寸法の良導電性の金属薄板を打抜き加工して、略平行な同長さの複数の鉤形孔を、交互に逆向きとなるように設けることにより複数の第二直線状部が左右交互に細幅連結部で繋がれた形とし、上記複数の鉤形孔の一方の側部を繋がった状態で外周枠から切離した後、上記複数の第二直線状部の少なくとも一部を上方向または下方向に、上記第一素子板の略円筒形の第一細帯状部とほぼ同径の略半円状に突出加工して、略半円筒形の第二細帯状部の他方の側部が外周部に連結された第二素子板を形成し、上記第一素子板および第二素子板の外周部を保持して樹脂誘電体材料で第一次インサート成形加工して、上記第一素子板の略円筒形の第一細帯状部と上記第二素子板の略半円筒形の第二細帯状部を内周側から樹脂で固定すると共に上記取付金具と結合し、さらに上記第一細帯状部および第二細帯状部の外周から所定寸法だけ突出した複数個の樹脂支持部を有する心棒部を形成した後、上記第一素子板および第二素子板の外周部に連結された上記側部を心棒部の近くで切断加工して心棒部を外周部から分離すると共に、上記複数の長方形孔の端部が凹凸状となって繋がった部分および細幅連結部が切離されることにより、各第一細帯状部および第二細帯状部の両端部が隣接する両側の第一細帯状部および第二細帯状部の端部とそれぞれ交互に連結して接続された上記第一アンテナ素子および第二アンテナ素子とし、次にこの心棒部を上記取付金具および樹脂支持部を保持して樹脂誘電体材料で第二次インサート成形加工して、上記取付金具の一部を露出させて、上記第一アンテナ素子および第二アンテナ素子の外周を覆うカバーを形成するようにしたものである。
【００１１】
これにより、製作時にアンテナ素子のピッチの不均一や変形が生じ難く、高利得・高信頼性で生産性に優れ、しかも二つ以上のインピーダンス特性を備えたアンテナ装置を製造することができるアンテナ装置の製造方法を提供することができる。
【００１２】
【発明の実施の形態】
本発明の請求項１に記載の発明は、良導電性の金属薄板を打抜き加工して形成された複数の第一細帯状部が前面視略平行に配され、各第一細帯状部の両端部が隣接する両側の第一細帯状部の端部と交互に連続して接続されると共に、上記複数の第一細帯状部の少なくとも一部が接続部から前後方向交互に略半円状に突出して、略円形螺旋状に形成された第一アンテナ素子と、良導電性の金属薄板を打抜き加工して形成された複数の第二細帯状部が前面視略平行に配され、各第二細帯状部の両端部が隣接する両側の第二細帯状部の端部と交互に連続して接続されると共に、上記複数の第二細帯状部の少なくとも一部が接続部から前方向または後方向に、上記第一アンテナ素子の略円形螺旋状部とほぼ同径の略半円筒状に突出形成され、上記第一アンテナ素子の近傍の略同心位置に絶縁状態で配設された、少なくとも一つの第二アンテナ素子と、上記第一アンテナ素子の一方の終端と電気的に接続された取付金具と、上記第一アンテナ素子および第二アンテナ素子を内周側から固定すると共に取付金具と結合した樹脂誘電体材料製の心棒と、上記取付金具の一部を露出させて、上記第一アンテナ素子および第二アンテナ素子の外周を覆う樹脂誘電体材料製のカバーからなるアンテナ装置を製造するためのアンテナ装置の製造方法であって、所定寸法の良導電性の金属薄板を打抜き加工して、略平行な同長さの複数の長方形孔を、その両端部が交互に凹凸状となるように設けることにより複数の第一直線状部を形成し、上記複数の長方形孔の凹凸状となった一方の側部を繋がった状態で外周部から切離した後、上記複数の第一直線状部の少なくとも一部を上下方向交互に略半円状に突出加工して、略円筒形の第一細帯状部が他方の側部で外周部に連結された形状とし、この第一細帯状部の一方の端部に取付金具を接続固定して第一素子板とすると共に、上記第一素子板とほぼ同寸法の良導電性の金属薄板を打抜き加工して、略平行な同長さの複数の鉤形孔を、交互に逆向きとなるように設けることにより複数の第二直線状部が左右交互に細幅連結部で繋がれた形とし、上記複数の鉤形孔の一方の側部を繋がった状態で外周枠から切離した後、上記複数の第二直線状部の少なくとも一部を上方向または下方向に、上記第一素子板の略円筒形の第一細帯状部とほぼ同径の略半円状に突出加工して、略半円筒形の第二細帯状部の他方の側部が外周部に連結された第二素子板を形成し、上記第一素子板および第二素子板の外周部を保持して樹脂誘電体材料で第一次インサート成形加工して、上記第一素子板の略円筒形の第一細帯状部と上記第二素子板の略半円筒形の第二細帯状部を内周側から樹脂で固定すると共に上記取付金具と結合し、さらに上記第一細帯状部および第二細帯状部の外周から所定寸法だけ突出した複数個の樹脂支持部を有する心棒部を形成した後、上記第一素子板および第二素子板の外周部に連結された上記側部を心棒部の近くで切断加工して心棒部を外周部から分離すると共に、上記複数の長方形孔の端部が凹凸状となって繋がった部分および細幅連結部が切離されることにより、各第一細帯状部および第二細帯状部の両端部が隣接する両側の第一細帯状部および第二細帯状部の端部とそれぞれ交互に連結して接続された上記第一アンテナ素子および第二アンテナ素子とし、次にこの心棒部を上記取付金具および樹脂支持部を保持して樹脂誘電体材料で第二次インサート成形加工して、上記取付金具の一部を露出させて、上記第一アンテナ素子および第二アンテナ素子の外周を覆うカバーを形成するようにしたアンテナ装置の製造方法とするもので、利得のバラツキが小さいアンテナ装置を、加工中にアンテナ素子の変形が発生し難い方法で、安定して製造することができるという作用を有する。
【００１３】
以下、本発明の実施の形態について、図面を用いて説明する。
【００１４】
（実施の形態１）
図１は本発明の第１の実施の形態によるアンテナ装置の部分断面の斜視図であり、同図において、１１は銅合金板等の良導電性の金属薄板を打抜きおよび突出加工してヘリカル状に形成された第一アンテナ素子、１２は同様に銅合金板等の良導電性の金属薄板を打抜きおよび突出加工して略半円筒状に形成された無給電アンテナ素子としての第二アンテナ素子、１３は第一アンテナ素子１１の一方の終端１１Ａ（図２参照）に接続・固定された取付金具で、本アンテナ装置を使用する無線機に取り付けるためのネジ部１３Ａを外周に有している。
【００１５】
また、１４は、上記の第一アンテナ素子１１と第二アンテナ素子１２を略同心位置に互いに絶縁状態で固定すると共に、取付金具１３に結合した樹脂誘電体材料製の心棒で、１５は、取付金具１３のネジ部１３Ａ近傍を露出させて、上記の第一アンテナ素子１１および第二アンテナ素子１２の外周を覆う樹脂誘電体材料製のカバーである。
【００１６】
そして、第一アンテナ素子１１の詳細な形状は、図２（ａ）の第一アンテナ素子部の正面図および図２（ｂ）の同斜視図に示すように、良導電性の金属薄板を打抜き加工して形成され、前面視略平行に配された複数の第一細帯状部１６の各第一細帯状部１６の両端部が隣接する両側の第一細帯状部１６の端部と接続部１７Ａ，１７Ｂにより交互に略コの字形に接続され、略メアンダ状に連続していると共に、この複数の第一細帯状部１６が接続部１７Ａ，１７Ｂから前後方向交互に１６Ａ，１６Ｂとして略半円状に突出加工されて、全体として略円形螺旋状に形成され、その連続した一方の終端１１Ａには取付金具１３が接続されている。
【００１７】
また、第二アンテナ素子１２の詳細な形状は、図３（ａ）の第二アンテナ素子部の正面図および図３（ｂ）の同斜視図に示すように、良導電性の金属薄板を打抜き加工して形成され、前面視略平行に配された複数の第二細帯状部１８の各第二細帯状部１８の両端部が隣接する両側の第二細帯状部１８の端部と接続部１９Ａ，１９Ｂにより交互に略コの字形に接続され、略メアンダ状に連続していると共に、この複数の第二細帯状部１８が接続部１９Ａ，１９Ｂから手前方向に、上記第一アンテナ素子１１の略円形螺旋状部とほぼ同径の略半円筒状に突出加工されている。
【００１８】
そして、図４（ａ）のアンテナ素子部の正面図および図４（ｂ）の同斜視図に示すように、第一アンテナ素子１１の略円形螺旋状に加工された複数の第一細帯状部１６のうち手前方向に突出加工された第一細帯状部１６Ａの間に、第二アンテナ素子１２の手前方向に突出加工された第二細帯状部１８が絶縁状態を保って平行に入り込むように、それぞれの接続部１７Ａ，１７Ｂおよび１９Ａ，１９Ｂの位置を合わせて第一アンテナ素子１１と第二アンテナ素子１２が組み合わされて、図１に示したように、第一アンテナ素子１１の第一細帯状部１６と第二アンテナ素子１２の第二細帯状部１８の中心を樹脂誘電体材料製の心棒１４が、外周を樹脂誘電体材料製のカバー１５がそれぞれ固定している。
【００１９】
なお、この心棒１４とカバー１５は同じ樹脂誘電体材料で形成されており、両者をそれぞれ別工程で成形形成されても密着性がよく、またアンテナ装置使用時の温度変化による熱膨張等のレベルも同じであるので、この樹脂成形部分によりこのアンテナ装置の強度等の機械的特性は安定したものとなっている。
【００２０】
また、上記の第一アンテナ素子１１と第二アンテナ素子１２を組み合わせる際に、第二アンテナ素子１２の第二細帯状部１８の両端部を接続する接続部１９Ａ，１９Ｂが、第一アンテナ素子１１の略半円状に前方に突出加工された第一細帯状部１６Ａと接触しないようにするために、図５のアンテナ素子の上面図に示すように、第一アンテナ素子１１の第一細帯状部１６の接続部１７Ａ，１７Ｂから前後方向に略半円状に突出した部分の根元部の直径Ｃは、第二アンテナ素子１２の略半円状に突出加工された部分の根元である接続部１９Ａ，１９Ｂの部分の直径Ｄよりも少し小さい寸法となっていると共に、第二アンテナ素子１２の接続部１９Ａ，１９Ｂは第一アンテナ素子１１の接続部１７Ａ，１７Ｂよりも少し手前に離れて位置している。
【００２１】
本実施の形態によるアンテナ装置は以上のように構成されるものであり、次に、このアンテナ装置の動作について説明する。
【００２２】
図１に示すアンテナ装置は、取付金具１３の外周に設けられたネジ部１３Ａによって無線機の所定の箇所に固定され、アンテナ装置で送受信される電波に対応した高周波信号がこの取付金具１３を介して無線機の電気回路とアンテナ装置の間で伝達され、所定の電気長に設定された第一アンテナ素子１１が第一の周波数帯域に整合して電気的に動作し、別の電気長に設定された第二アンテナ素子１２が第二の周波数帯域に整合して電気的に動作するようになっているものである。
【００２３】
すなわち、第一アンテナ素子１１の有するインダクタンスと、複数の第一細帯状部１６の相互間および第一細帯状部１６と第二アンテナ素子１２の第二細帯状部１８との間の浮遊容量で決定される電気長が第一の周波数帯域の高周波信号に整合して、第一アンテナ素子１１が第一の周波数帯域の電波を最も効率よく送受信するようなインピーダンス特性を有し、第二アンテナ素子１２の有するインダクタンスと、複数の第二細帯状部１８の相互間および第二細帯状部１８と第一アンテナ素子１１の第一細帯状部１６との間の浮遊容量で決定される電気長が第二の周波数帯域の高周波信号に整合して、第二アンテナ素子１２が第二の周波数帯域の電波を最も効率よく送受信するインピーダンス特性を有するように設定されるものである。
【００２４】
そして、第一の周波数帯域の高周波信号は第一アンテナ素子１１に接続された取付金具１３を介して無線機の電気回路と第一アンテナ素子１１の間で直接伝達され、第二の周波数帯域の高周波信号は第一アンテナ素子１１と第二アンテナ素子１２の間の容量結合および電磁誘導結合を利用することによって無線機の電気回路と第二アンテナ素子１２の間で伝達されるものである。
【００２５】
このように、本実施の形態によれば、アンテナ素子は良導電性の金属薄板を打抜きおよび突出加工して形成されるので、各アンテナ素子のピッチの不均一や変形が生じ難く、組立てが容易で安価であると共に、各素子の細帯状部間の浮遊容量を大きくまた安定なものとして浮遊容量と各素子のインダクタンスの積の関数である素子の電気長を伸ばすことができて、同じ電気長をより短い素子長さで実現できるので、小型・軽量で高利得・高信頼性のアンテナ装置を得ることができるものである。
【００２６】
なお、第一アンテナ素子１１の第一細帯状部１６または第二アンテナ素子１２の第二細帯状部１８の一部あるいはあらかじめ設けた調整用の延長部を切断することによって、第一アンテナ素子１１または第二アンテナ素子１２の電気長を調整して目的とする周波数帯域に対応したインピーダンス特性を得やすくすることができ、あるいは、第一アンテナ素子１１の手前側に突出加工された第一細帯状部１６Ａに対して第二アンテナ素子１２の手前側に突出加工された第二細帯状部１８を所定の角度だけ傾けることによって、さらには、複数個の第二アンテナ素子１２を設けることによって第一アンテナ素子１１と第二アンテナ素子１２の間を所望の電気結合度に設定することができ、アンテナ装置のインピーダンス特性の制御を容易にかつ広範囲に行なうこともできるものである。
【００２７】
（実施の形態２）
本発明の第２の実施の形態によるアンテナ装置の製造方法について図６〜図１１を用いて説明する。
【００２８】
第一アンテナ素子１１を形成するための第一素子板の形成方法を説明するのが図６の斜視図であり、まず同図（ａ）に示すように、所定寸法の良導電性の金属薄板２１を打抜き加工して、略平行な同じ長さの複数の長方形孔２２を、その両端部が交互に凹凸状となるように設けることによって複数の第一直線状部２３を形成する。
【００２９】
そして、同図（ｂ）に示すように、複数の長方形孔２２の凹凸状となった一方の側部２４Ａを繋がった状態で外周部から切離した後、複数の第一直線状部２３を上下方向交互に略半円状に突出加工することにより第一細帯状部２５Ａ，２５Ｂとして、略円筒形の第一細帯状部２５が他方の側部２４Ｂで外周部に連結された形状とし、さらに同図（ｃ）に示すように、第一細帯状部２５の一方の端部の突起２７に、別途形成された取付金具１３をカシメることにより接続固定して、第一素子板２６とする。
【００３０】
同様に、第二素子板の形成方法を説明するのが図７の斜視図であり、まず同図（ａ）に示すように、第一素子板２６とほぼ同寸法の良導電性の金属薄板２８を打抜き加工して、略平行な同じ長さの複数の鉤形孔２９を、交互に逆向きとなるように設けることによって複数の第二直線状部３０が左右交互に細幅連結部３１で繋がれた形とする。
【００３１】
そして、同図（ｂ）に示すように、複数の鉤形孔２９の一方の側部３２Ａを繋がった状態で外周部から切離した後、複数の第二直線状部３０を上向きに、第一素子板２６の略円筒形の第一細帯状部２５とほぼ同径の略半円状に突出加工して、略半円筒状の第二細帯状部３３が他方の側部３２Ｂで外周部に連結された第二素子板３４とする。
【００３２】
この後、図８の斜視図に示すように、第一素子板２６と第二素子板３４の外周部を重ね合わせることにより、第一細帯状部２５のうち上向きに突出加工された第一細帯状部２５Ａの間に、上向きに突出加工された第二細帯状部３３が平行に入り込むように組合わせ、外周部を成形金型で保持して樹脂誘電体材料で第一次インサート成形加工することによって、図９の斜視図に示すように、第一素子板２６の第一細帯状部２５（図示せず）と第二素子板３４の第二細帯状部３３（図示せず）を内周側から固定すると共に取付金具１３を結合固定し、さらに第一細帯状部２５および第二細帯状部３３の外周から所定寸法だけ突出した四個の樹脂支持部３５を有する心棒部３６を形成する。
【００３３】
次に、図１０の斜視図に示すように、心棒部３６の外周に重なり合って突出した両側部２４Ａ，２４Ｂおよび３２Ａ，３２Ｂの連結部３７および３８を心棒部３６の近くで、樹脂支持部３５よりも突出寸法となるように切断加工して、取付金具付き心棒部３９を第一素子板２６および第二素子板３４の外周部から分離する。
【００３４】
この時、第一素子板２６の長方形孔２２の端部が凹凸状となって繋がった部分および第二素子板３４の鉤形孔２９部分の細幅連結部３１も切離されることにより、第一素子板２６の各第一細帯状部２５の両端部は隣接する両側の第一細帯状部２５の端部と交互に接続されてメアンダ状に連続した第一アンテナ素子１１としての形状（図２（ｂ）参照）となり、また第二素子板３４の各第二細帯状部３３の両端部も隣接する両側の第二細帯状部３３の端部と接続されてメアンダ状に連続した第二アンテナ素子１２としての形状（図３（ｂ）参照）となる。
【００３５】
次に、この分離された取付金具付き心棒部３９の取付金具１３および心棒部３６外周の樹脂支持部３５を成形金型で保持し、第一次インサート成形加工と同じ樹脂誘電体材料で、取付金具１３のネジ部１３Ａが露出するように第二次インサート成形加工して、図１１の斜視図に示すように、第一アンテナ素子１１および第二アンテナ素子１２を覆うカバー１５を形成することにより、アンテナ装置として完成する。
【００３６】
以上のように、本実施の形態によれば、利得のバラツキが小さく、二つ以上のインピーダンス特性を備えたアンテナ装置を、加工中にアンテナ素子の変形が発生し難い方法で、安定して製造することができるものである。
【００３７】
【発明の効果】
以上のように本発明によれば、加工中にアンテナ素子のピッチの不均一や変形が生じ難く、高利得・高信頼性で生産性に優れ、しかも二つ以上のインピーダンス特性を備えたアンテナ装置を製造することができるアンテナ装置の製造方法を提供することができるという有利な効果が得られる。
【図面の簡単な説明】
【図１】  本発明の第１の実施の形態によるアンテナ装置の部分断面の斜視図
【図２】  （ａ）同要部である第一アンテナ素子部の正面図
（ｂ）同要部である第一アンテナ素子部の斜視図
【図３】  （ａ）同要部である第二アンテナ素子部の正面図
（ｂ）同要部である第二アンテナ素子部の斜視図
【図４】  （ａ）同要部であるアンテナ素子部の正面図
（ｂ）同要部であるアンテナ素子部の斜視図
【図５】  同アンテナ素子部の上面図
【図６】  本発明の第２の実施の形態によるアンテナ装置の製造方法における第一素子板の形成方法を説明する斜視図
【図７】  同第二素子板の形成方法を説明する斜視図
【図８】  同第一素子板と第二素子板を重ね合わせた状態を示す斜視図
【図９】  同第一次インサート成形加工後の状態を示す斜視図
【図１０】  同取付金具付きの心棒部の斜視図
【図１１】  同第二次インサート成形加工後の状態を示す斜視図
【図１２】  従来のアンテナ装置の断面図
【符号の説明】
１１  第一アンテナ素子
１１Ａ  終端
１２  第二アンテナ素子
１３  取付金具
１３Ａ  ネジ部
１４  心棒
１５  カバー
１６，１６Ａ，１６Ｂ，２５，２５Ａ，２５Ｂ  第一細帯状部
１７Ａ，１７Ｂ，１９Ａ，１９Ｂ  接続部
１８，３３  第二細帯状部
２１，２８  金属薄板
２２  長方形孔
２３  第一直線状部
２４Ａ，２４Ｂ，３２Ａ，３２Ｂ  側部
２６  第一素子板
２７  突起
２９  鉤形孔
３０  第二直線状部
３１  細幅連結部
３４  第二素子板
３５  樹脂支持部
３６  心棒部
３７，３８  連結部
３９  取付金具付き心棒部
【図１】
0003788115.tif 000002
【図２】
0003788115.tif 000003
【図３】
0003788115.tif 000004
【図４】
0003788115.tif 000005
【図５】
0003788115.tif 000006
【図６】
0003788115.tif 000007
【図７】
0003788115.tif 000008
【図８】
0003788115.tif 000009
【図９】
0003788115.tif 000010
【図１０】
0003788115.tif 000011
【図１１】
0003788115.tif 000012
【図１２】
0003788115.tif 000013